(57)【特許請求の範囲】
【請求項１】
操作杆の先端部に回転可能に取り付けられた刈刃の作業者側に対向する側の上面を覆う略扇形状の上面プレートと、該上面プレートの周縁部から下方へ延びて前記刈刃の外周の回転軌道を囲むように延びる側面プレートとを備える刈払機の安全カバーであって、
前記刈刃を備えた刈払機に装着された状態で、
前記刈刃の回転軸側と前記側面プレート側を仕切る仕切プレートを前記刈刃の上面に近接するように設け、
前記仕切プレートは、前記上面プレートにおける刈刃回転手前側端部付近に少なくとも設けられて、該刈刃の回転方向側へ延び、
前記上面プレートの前記仕切プレートよりも回転軸側の少なくとも刈刃回転手前側端部は、前記刈刃の上面に近接し、
前記仕切プレートよりも前記側面プレート側の前記上面プレートと刈刃上面の間隔が、前記仕切プレートと前記刈刃上面の間隔より広く、前記仕切プレートよりも前記側面プレート側の刈刃回転手前側端部に飛散物の導入口を設け、
平面視において前記導入口の回転軸側と前記側面プレート側との間に、前記刈刃の外周の回転軌道が位置するように構成されたことを特徴とする刈払機の安全カバー。
【請求項２】
前記刈刃を備えた刈払機に装着された状態で、前記仕切プレートの前記側面プレート側の側面と前記刈刃の外周の回転軌道との間隔は、少なくとも前記刈刃回転手前側端部付近において、前記刈刃の回転方向に進むに従って漸次狭くなるように構成されたことを特徴とする請求項１に記載の刈払機の安全カバー。
【請求項３】
平面視において前記仕切プレートの前記側面プレート側の側面と前記側面プレートの内側の側面との間隔は、前記刈刃の回転方向に進むに従って漸次広くなることを特徴とする請求項１又は２に記載の刈払機の安全カバー。
【請求項４】
前記刈刃を備えた刈払機に装着された状態で、側面視において前記仕切プレートよりも前記側面プレート側の前記上面プレートと前記刈刃の上面との間隔は、前記刈刃の回転方向に進むに従って漸次広くなるように構成されたことを特徴とする請求項１から３のいずれかに記載の刈払機の安全カバー。
【請求項５】
前記仕切プレートの下側の刈刃回転手前側端部と前記側面プレートとの間に繋がって、前記刈刃を備えた刈払機に装着された状態で前記刈刃の上面に近接するように構成される草除けガード部を設け、
前記草除けガード部の上方に、前記仕切プレートと前記上面プレートと前記側面プレートとによって囲まれる飛散物の送出通路に連通する前記飛散物の導入口を設けることを特徴とする請求項１から４のいずれかに記載の刈払機の安全カバー。
【請求項６】
前記草除けガード部は、刈刃回転方向手前側が下となる様に傾斜する斜面部を有することを特徴とする請求項５に記載の刈払機の安全カバー。
【請求項７】
前記安全カバーは、合成樹脂材料によって一体成型されることを特徴とする請求項１から６のいずれかに記載の刈払機の安全カバー。
【請求項８】
請求項１から７のいずれかに記載の安全カバーを装着したことを特徴とする刈払機。
【発明の詳細な説明】
【技術分野】
【０００１】
本発明は、刈払機の安全カバー及び刈払機に関し、さらに詳細には、刈払機の操作杆の先端部に回転可能に取り付けられた刈刃の作業者側に対向する側を覆う刈払機の安全カバーとこれを装着した刈払機に関する。
【背景技術】
【０００２】
このような刈払機によって雑草や雑木等の刈払作業を行うと、操作杆の先端部で回転する刈刃に小石等が当接して飛散物となる場合が多い。この刈払作業は、通常は飛散物が作業者に向かって飛散するように行われるので、刈払機の刈刃の作業者側に対向する側に安全カバーを装着して、作業の安全性が図られている。安全カバーは、作業者に対向する側の刈刃の側面のみならず、刈刃の上面までも覆うようにして、安全性がより高められたものが一般的に知られている。
【０００３】
この従来の安全カバーを刈払機に装着して刈払作業を行うと、刈り取られて刈刃の上面に移動した草等が刈刃の回転によって刈刃と安全カバーとの間に引き込まれて詰まる、いわゆる「草詰り」と呼ばれる現象が発生する。この草詰りが発生すると、刈刃に余計な負荷を与え、刈刃に動力を伝達するエンジンやモータに余計な出力を要求することとなり、また刈刃の回転数が低下することで、刈払作業の効率が大きく低下する。このため、重度の草詰りが発生した場合には、作業者は刈刃の回転を一旦停止して、安全カバーに詰まった草等を取り除く作業を強いられる。
【０００４】
そこで、特許文献１から６に記載されているような、草詰りを防止可能な安全カバーが提案されている。特許文献１及び２には、(1)刈刃外周の回転軌道と刈刃外周を囲む側面プレートの内面との間隔が刈刃の回転方向に進むに従って広がり、(2)安全カバーの刈刃回転手前側端部は傾斜面を形成して下部が刈刃上面に近接する、という技術が開示されている。また特許文献３から６には、(3)安全カバーの刈刃回転手前側端部が刈刃の回転方向に対して平面視において外側に鋭角を有して直線状又は曲線状に形成される、という技術が開示されている。
【０００５】
【特許文献１】実開昭５３−１３５３１号公報
【特許文献２】実開昭５３−２１９３１号公報
【特許文献３】実開昭５４−５９４３９号公報
【特許文献４】特開平１１−２２０９２２号公報
【特許文献５】特開平９−１３５６１７号公報
【特許文献６】特開平１０−２２９７２０号公報
【発明の開示】
【発明が解決しようとする課題】
【０００６】
このような従来の技術を用いて安全カバーを構成すれば、草詰りを容易に解消することができるが、これらの従来技術は、回転する刈刃に小石等が当接すると、小石等は安全カバーの刈刃回転手前側端部を乗り越えて作業者に向かって飛散する場合が多い。つまり、従来の安全カバーは、草詰りを解消することができるが、安全カバー本来の目的である「作業者の飛散物からの保護」については考慮されていないのが現状である。
【０００７】
本発明は、飛散物から作業者を十分に保護するとともに、草詰りを起こさない刈払機の安全カバーの提供が望まれており、このような要望に応える安全カバー及びこれを装着した刈払機を提供することを目的とする。
【課題を解決するための手段】
【０００８】
このような課題を解決するため、本発明は、操作杆の先端部に回転可能に取り付けられた刈刃の作業者側に対向する側の上面を覆う略扇形状の上面プレートと、該上面プレートの周縁部から下方へ延びて刈刃の外周の回転軌道を囲むように延びる側面プレートとを備える刈払機の安全カバーであって、刈刃を備えた刈払機に装着された状態で、刈刃の回転軸側と側面プレート側を仕切る仕切プレートを刈刃の上面に近接するように設け、仕切プレートは、上面プレートにおける刈刃回転手前側端部付近に少なくとも設けられて、該刈刃の回転方向側へ延び、上面プレートの仕切プレートよりも回転軸側の少なくとも刈刃回転手前側端部は、刈刃の上面に近接し、仕切プレートよりも側面プレート側の上面プレートと刈刃上面の間隔が、仕切プレートと刈刃上面の間隔より広く、仕切プレートよりも側面プレート側の刈刃回転手前側端部に飛散物の導入口を設け、平面視において導入口の回転軸側と側面プレート側との間に、刈刃の外周の回転軌道が位置するように構成されたことを特徴とする。
【０００９】
この発明によれば、安全カバーは、刈刃を備えた刈払機に装着された状態で、仕切プレートを刈刃の上面に近接するように設け、仕切プレートは、上面プレートの刈刃回転手前側端部付近に少なくとも設けられて、刈刃の回転方向側へ延び、上面プレートの仕切プレートよりも回転軸側の少なくとも刈刃回転手前側端部は刈刃の上面に近接し、仕切プレートよりも側面プレート側の上面プレートと刈刃上面の間隔が仕切プレートと刈刃上面の間隔より広く、仕切プレートよりも側面プレート側の刈刃回転手前側端部に飛散物の導入口を設け、平面視において導入口の回転軸側と側面プレート側との間に、刈刃の外周の回転軌道が位置するように構成することで、刈払機の使用中に刈刃によって刈り取られた草等のうち刈刃の上面上を移動する草等は、刈刃の上面に近接する上面プレートの手前側端部によって刈刃の回転方向側への移動が規制されて草詰りを防止できる。また回転する刈刃に当接した小石等は刈刃の回転方向側へ飛散するが、この飛散方向に導入口が設けられることになるので、小石等の飛散物は導入口を通って安全カバー内に取り込まれる。このため、草詰りを確実に抑制することができ、且つ作業者側に飛散する飛散物の発生を防止することができる。その結果、草詰りによる草等を取り除く作業が無くなり、刈取作業を中断することなく行うことができ、より安全で作業効率の高い安全カバーを提供することができる。
【００１０】
また本発明は、刈刃を備えた刈払機に装着された状態で、仕切プレートの側面プレート側の側面と刈刃の外周の回転軌道との間隔は、少なくとも刈刃回転手前側端部付近において、刈刃の回転方向に進むに従って漸次狭くなるように構成されたことを特徴とする。
【００１１】
この発明によれば、刈刃を備えた刈払機に装着された状態で、仕切プレートの側面プレート側の側面と刈刃の外周の回転軌道との間隔は、刈刃の回転方向に進むに従って漸次狭くなることにより、刈払機の使用中に飛散物とともに草等が導入口から安全カバー内に入り込んだとしても、草等は、仕切プレートの側面によって刈刃の外周側へ移動して、刈刃から下方へ落ちる。このため、安全カバー内に入り込んだ草等は安全カバーから排出され易くなり、より草詰りをし難くすることができる。
【００１２】
また本発明は、平面視において仕切プレートの側面プレート側の側面と側面プレートの内側の側面との間隔は、刈刃の回転方向に進むに従って漸次広くなることを特徴とする。
【００１３】
この発明によれば、平面視において仕切プレートと側面プレートとの間隔が刈刃の回転方向に進むに従って漸次広くなることにより、刈刃を備えた刈払機に安全カバーが装着されて使用している時に、飛散物とともに草等が導入口から安全カバー内に入り込んだとしても、草等は刈刃の回転方向側に移動し易く容易に排出できる。このため、さらに草詰りし難くい安全カバーを提供することができる。
【００１４】
さらに本発明は、刈刃を備えた刈払機に装着された状態で、側面視において仕切プレートよりも側面プレート側の上面プレートと刈刃の上面との間隔は、刈刃の回転方向に進むに従って漸次広くなるように構成されたことを特徴とする。
【００１５】
この発明によれば、刈刃を備えた刈払機に装着された状態で、仕切プレートよりも側面プレート側の上面プレートと刈刃の上面との間隔は刈刃の回転方向に進むに従って漸次広くなることにより、刈払機の使用中に飛散物とともに草等が導入口から安全カバー内に入り込んだとしても、草等は刈刃の回転方向側に移動し易く容易に排出できる。このため、さらに草詰りし難くい安全カバーを提供することができる。
【００１６】
また本発明の安全カバーは、仕切プレートの下側の刈刃回転手前側端部と側面プレートとの間に繋がって、刈刃を備えた刈払機に装着された状態で刈刃の上面に近接するように構成される草除けガード部を設け、草除けガード部の上方に、仕切プレートと上面プレートと側面プレートとによって囲まれる飛散物の送出通路に連通する飛散物の導入口を設けることを特徴とする。
【００１７】
この発明によれば、仕切プレートの下側の刈刃回転手前側端部と側面プレートとの間に、刈刃を備えた刈払機に装着された状態で刈刃の上面に近接する草除けガード部を設け、草除けガード部の上方に、仕切プレートと上面プレートと側面プレートとによって囲まれる飛散物の送出通路に連通する飛散物の導入口を設けることにより、刈刃によって刈り取られた草等は、草除けガード部によって刈刃の回転方向側への移動が規制される。このため、草等は、導入口から飛散物の送出通路内に入り込み難くなり、さらに草詰りのし難くい安全カバーを提供することができる。
【００１８】
また本発明の草除けガード部は、刈刃回転方向手前側が下となる様に傾斜する斜面部を有することを特徴とする。
【００１９】
この発明によれば、草除けガード部は、刈刃回転方向手前側が下となる様に傾斜する斜面部を有することにより、刈刃を備えた刈払機に安全カバーが装着されて使用している時に、草除けガード部に飛散物が衝突すると、この飛散物は斜面部に沿うようにして導入口側へ移動する。このため、飛散物が導入口から送出通路内に入り易くなり、作業者側へ飛散する飛散物を殆ど無くすことができ、飛散物から作業者を保護するこができる安全カバーを提供することができる。
【００２０】
さらに本発明の安全カバーは、合成樹脂材料によって一体成型されることを特徴とする。
【００２１】
この発明によれば、安全カバーを合成樹脂材料によって一体成型することで、軽量で且つ安価な安全カバーを提供することができる。
【００２２】
また本発明は、請求項１から７のいずれかに記載の安全カバーを装着した刈払機であることを特徴とする。
【００２３】
この発明によれば、請求項１から７のいずれかに記載の安全カバーを装着した刈払機であることにより、飛散物から作業者を保護することができ、草詰りが起こし難く、作業効率が高い刈払機を提供することができる。
【発明の効果】
【００２４】
本発明に係わる刈払機の安全カバーによれば、側面プレートよりも内側であって刈刃の周縁部の内側に仕切プレートを設け、仕切プレートは、上面プレートの刈刃回転手前側端部付近に少なくとも設けられ上面プレートの仕切プレートよりも回転軸側の少なくとも刈刃回転手前側端部は刈刃の上面に近接し、仕切プレートよりも側面プレート側の安全カバーと刈刃上面の間隔が仕切プレートと刈刃上面の間隔より広く、仕切プレートよりも側面プレート側の刈刃回転手前側端部に飛散物の導入口を設け、平面視において導入口の回転軸側と側面プレート側との間に、刈刃の外周の回転軌道が位置することで、飛散物から作業者を十分に保護するとともに、草詰りを起こさない刈払機の安全カバー及びこれを装着した刈払機を提供することができる。
【発明を実施するための最良の形態】
【００２５】
以下、本発明の刈払機の安全カバー及び刈払機の好ましい実施の形態を図１から図１０に基づいて説明する。先ず、本発明の安全カバーを説明する前に、この安全カバーを装着した刈払機について説明する。
【００２６】
刈払機１は、図１（側面図）に示すように、操作杆３と、操作杆３の後端部に装着されたエンジン５と、操作杆３の前端部に回転自在に取り付けられた円板状の刈刃７と、刈刃７を覆うようにして操作杆３の前端部に装着された安全カバー１０とを有して構成される。
【００２７】
操作杆３の前端部にはギアヘッド４が取り付けられており、エンジン５の図示しない駆動軸とギアヘッド４は、操作杆３内に設けられた図示しないドライブシャフトを介して連結されて、ギアヘッド４にエンジン５からの動力が伝達可能になっている。ギアヘッド４には刈刃７が装着され、ギアヘッド４を介して刈刃７にエンジン５の動力が伝達されて回転するようになっている。
【００２８】
操作杆３の中間部にはハンドル６が取り付けられており、このハンドル６にはエンジン５の動力を調整するための図示しないコントロールレバーが装着されている。作業者Ｍはハンドル６を把持して操作することによって、刈払作業を行う。刈払作業においては、円板状の刈刃７が略水平方向に向くようにハンドル６が操作される。なお、刈刃７に動力を伝達する手段として、エンジンの代わりにモータにしてもよい。
【００２９】
次に、この刈払機１に装着された安全カバー１０について説明する。安全カバー１０は、合成樹脂材料により一体成型され、ギアヘッド４に装着される。なお、安全カバー１０を操作杆３に直接に装着するようにしてもよい。安全カバー１０は、図２（斜視図）、図３（平面図）及び図９（ｂ）（図３のＨ−Ｈ矢視相当の断面図）に示すように、刈刃７の作業者側に対向する側（以下、先端側と記す。）の上面を覆う略扇形状の上面プレート１１と、この上面プレート１１の先端側の周縁部から下方へ延びて刈刃７の外周を囲むように延びる側面プレート２０とを備える。
【００３０】
上面プレート１１の基端側には取付部１２が形成されている。取付部１２は、中央部に図１に示すギアヘッド４から延びる回転軸４ａを挿通する孔部１２ａと左右両側に設けられたボルト挿通孔１２ｂを有し、このボルト挿通孔１２ｂに挿通されたボルトを介して安全カバー１０がギアヘッド４に装着されるようになっている。上面プレート１１の基端部の下方には、図３及び図４（図３のＡ矢視相当の側面図）及び図９（ｂ）に示すように、下端部が刈刃７の上面に近接して配置される斜面部２１が形成され、斜面部２１の上部には上方へ延びる衝立部２２が形成されている。斜面部２１及び衝立部２２は上面プレート１１の基端側から取付部１２の外側を刈刃回転方向Ｒに回って先端側である側面プレート２０まで延びる。この斜面部２１は、刈り取られた草等が安全カバー１０と刈刃上面との間の隙間から安全カバー１０内に入り難くして、草詰まりを防止し、回転軸４ａへの巻き付きを防止している。なお、安全カバー１０が刈払機１に装着されると、刈払機１の操作杆３は安全カバー１０の上方であって図３に示す一点鎖線Ｔの延びる方向と略同一方向に延びる。
【００３１】
図６（図３のＣ矢視相当の側面図）に示すように、安全カバー１０の刈刃回転方向端部１０ａの先端側には、前述した斜面部２１及び衝立部２２はなく、上面プレート１１の下方の安全カバー１０の基端側から先端側まで延びる開口部１３が形成されており、安全カバー１０の中に入った小石等の飛散物や草等は、この開口部１３の先端側から排出される。
【００３２】
上面プレート１１は、図３，図６及び図７（背面図）に示すように、安全カバー１０の基端側から刈刃７の上面に沿って刈刃外周の近傍位置に延びる第１上面プレート１１ａと、第１上面プレート１１ａより上方に位置して刈刃７の上面に沿って先端側に延びて側面プレート２０に繋がる第２上面プレート１１ｂと、第１上面プレート１１ａの先端部と第２上面プレート１１ｂの基端部との間を繋いで基端側と先端側を仕切る仕切プレート１１ｃを有してなる。つまり、上面プレート１１は、仕切プレート１１ｃを境にして、基端側が低く、先端側が高くなる段構造となっている。このため、刈刃７の上面と上面プレート１１との間隔は、仕切プレート１１ｃを境にして、基端部側が狭く、先端側が広くなっている。
【００３３】
仕切プレート１１ｃは下端部が刈刃７の上面の近接位置まで延びて、草等が刈刃７の上面と第１上面プレート１１ａとの隙間に入り難くしている。なお、本実施例では、第１上面プレート１１ａから仕切プレート１１ｃの下端部が刈刃上面の近接位置まで延びているが、第１上面プレート１１ａが刈刃上面に近接する位置に形成されるようにすれば、仕切プレート１１ｃの下端部を第１上面プレート１１ａから延ばす必要はない。また本実施例では、上面プレート１１を段構造にしたが、仕切プレート１１ｃの下端側が刈刃上面に近接すれば、上面プレート１１を必ずしも段構造にしなくてもよい。
【００３４】
仕切プレート１１ｃは、上面プレート１１の刈刃回転手前側端部（以下、単に「手前側端部１０ｂ」と記す。）から刈刃７の回転方向側へ延びて上面プレート１１の刈刃回転方向端部１０ａに至る。そして平面視において手前側端部付近で、仕切プレート１１ｃと側面プレート２０との間に、刈刃外周の回転軌道Ｌが位置するように延びるように形成される。即ち、刈刃７の安全に作業を行うことができる刈取作業領域Ｓ近傍に仕切プレート１１ｃの手前側端部が設けられる。
【００３５】
仕切プレート１１ｃよりも基端側は、このように、刈刃７の刈取作業領域Ｓよりも基端側に位置し、刈刃外周の回転軌道Ｌの内側なので、飛散物を受ける頻度は低い。このため、安全カバー１０の仕切プレート１１ｃよりも基端側は、草詰りを解消するための構造的特徴を強く持たしている。
【００３６】
安全カバー１０の手前側端部１０ｂは、図３及び図８（ｂ）（図３のＥ−Ｅ矢視相当の断面図）に示すように、安全カバー１０の基端側から先端側へ延びる前述した斜面部２１及び衝立部２２が形成されており、斜面部２１の下部は刈刃上面に近接する位置まで延びている。斜面部２１の下部には刈刃上面に沿って外側へ突出する鍔部２３が形成されている。衝立部２２には、刈刃上面に沿って内側に延びる天板部２４と天板部２４の内側端部から下方へ延びる起立板部２５が繋がり、起立板部２５の下部が前述した第１上面プレート１１ａの手前側端部に繋がって、衝立部２２、天板部２４、起立板部２５によって略逆Ｕ字状に形成されて安全カバー１０の剛性を強化している。衝立部２２と起立板部２５との間隔は、基端側に進むに従って漸次狭くなっており、やがては一体となって基端側の衝立部２２に繋がっている。
【００３７】
鍔部２３及びこれに繋がる先端側の斜面部２１及び衝立部２２は、刈刃外周の回転軌道Ｌ上の安全カバー１０の先端側の手前側端部１０ｂと回転軸４ａを繋ぐ法線Ｑに対して外側に鋭角θを有して真直ぐに延びるように形成されている。
【００３８】
このように手前側端部１０ｂを構成することで、刈刃７によって刈り取られて刈刃上面に載った草等は、刈刃７の回転により鍔部２３まで移動しても、刈刃７と鍔部２３が近接しているので、容易には安全カバー１０内に入ることができない。そして、斜面部２１が形成されているので、スクレーパー作用が得られる。また、鍔部２３、斜面部２１及び衝立部２２は法線Ｑに対して外側に鋭角θを有して真直ぐに延びているので、集まった草等を刈刃７の回転によって安全カバー１０の先端側に移動させることができる。なお、本実施例では、鍔部２３、斜面部２１及び衝立部２２は真直ぐに延びる場合を示したが、これらは、法線Ｑに対して外側に鋭角を有する接線を描くような曲線的形状であってもよい。
【００３９】
前述した鍔部２３とこれに繋がる斜面部２１では、刈刃７の上面に対して高さが低いが、斜面部２１から上方に衝立部２２が延びているので、この衝立部２２によって作業者に飛散物が直接に衝突する事態を避けることができる。なお、前述した実施例では、衝立部２２、天板部２４、起立板部２５によって略逆Ｕ字状に形成した場合を示したが、天板部２４及び起立板部２５を衝立部２２と一体化して、安全カバー１０の基端側に形成された衝立部２２と連続的に繋がるように構成してもよい。
【００４０】
安全カバー１０の手前側端部１０ｂにおける仕切プレート１１ｃよりも先端側は、刈刃７の刈取作業領域Ｓから多くの飛散物を受ける。このため、安全カバー１０の仕切プレート１１ｃよりも先端側は、飛散物からの防護についての構造的な特徴を有している。図３、図７（背面図）、図８（ａ）（図３のＤ−Ｄ矢視相当の断面図）及び図９（ａ）（図３のＧ−Ｇ矢視相当の断面図）に示すように、仕切プレート１１ｃよりも先端側に導入口２７を設け、この導入口２７から飛散物を取り入れて刈刃回転方向側に設けられた開口部１３から排出する送出通路３０が形成されている。
【００４１】
導入口２７は、手前側端部１０ｂに矩形状に形成され、平面視において導入口２７の基端側と先端側との間に刈刃外周の回転軌道Ｌが通る位置に設けられている。導入口２７の下方には、図８（ｃ）（図３のＦ−Ｆ矢視相当の断面図）に示すように、基端側から先端側へ延びる前述した鍔部２３、斜面部２１及び衝立部２２が形成されている。これら鍔部２３、斜面部２１及び衝立部２２は、送出通路３０への草除けガード部２６として機能して、草等は基端側から先端側に移動して最終的に刈刃７の上面から振り落とされる。なお、導入口２７の下方に設けられた鍔部２３、斜面部２１及び衝立部２２は必ずしも必要ではなく、図１０（図３のＡ矢視相当の側面図）に示すように、送出通路３０の端部が露出するように導入口２７'を形成してもよい。また、図８（ｃ）に示す鍔部２３及び斜面部２１のいずれかのみを形成してもよい。
【００４２】
図８（ｃ）に示すように、導入口２７及びその下方に位置する鍔部２３等を形成すると、小石等の飛散物は、鍔部２３、斜面部２１及び衝立部２２の少なくともいずれかに一旦衝突し、又は直接に導入口２７から送出通路３０に取り入れられて作業者に衝突することなく排出される。
【００４３】
送出通路３０は、図７に示すように、仕切プレート１１ｃと第２上面プレート１１ｂと側面プレート２０とによって囲まれた領域である。第２上面プレート１１ｂは、図５（図３のＢ矢視相当の正面図）に示すように、その下面と刈刃７の上面との間隔αが、刈刃７の回転方向に進むに従って漸次広くなっている。また仕切プレート１１ｃの側面プレート側の側面と刈刃外周の回転軌道Ｌとの間隔βは、刈刃７の回転方向Ｒに進むに従って漸次狭くなるように延び、また仕切プレート１１ｃの側面プレート側の側面と側面プレート２０の内側の側面との間隔γは、刈刃７の回転方向に進むに従って漸次広くなっている。
【００４４】
このように送出通路３０を構成することで、送出通路３０に草等が入り込んでも、刈刃７の外周に対する仕切プレート１１ｃの形状により、草等は刈刃７の外周側へ移動し、やがては刈刃７から落ちて安全カバー１０から排出される。また側面プレート２０と仕切プレート１１ｃとの間隔γが次第に広がり、刈刃上面と第２上面プレート１１ｂの下面との間隔αが刈刃回転方向Ｒに向かって次第に広がっているので、草詰りは起こらずに草等は安全カバー１０から排出される。
【００４５】
このように、本発明に係わる安全カバー１０は、草詰りが起こらず、同時に飛散物から作業者を十分に保護可能である。その結果、刈取作業を効率的に行うことができる刈払機１を提供することができる。
【００４６】
なお、安全カバー１０の一体成型をより容易にするために、図８（ｃ）に示すように、第２上面プレート１１ｂの導入口２７に隣接する部分に、刈刃回転方向側に延びる僅かな切り欠き１５を設け、また安全カバー１０の素材としてポリプロピレンやＡＢＳ樹脂等の合成樹脂を用いることで、一体成型がし易くなって量産性が向上してコストが安価となり、軽量化した安全カバーを生産することが可能である。
【図面の簡単な説明】
【００４７】
【図１】本発明の一実施の形態に係わる安全カバーを装着した刈払機の側面図を示す。
【図２】安全カバーの斜視図を示す。
【図３】安全カバーの平面図を示す。
【図４】図３のＡ矢視に相当する安全カバーの側面図を示す。
【図５】図３のＢ矢視に相当する安全カバーの正面図を示す。
【図６】図３のＣ矢視に相当する安全カバーの側面図を示す。
【図７】安全カバーの背面図を示す。
【図８】安全カバーの断面図を示し、同図（ａ）は図３のＤ−Ｄ矢視に相当する安全カバーの断面図であり、同図（ｂ）は図３のＥ−Ｅ矢視に相当する安全カバーの断面図であり、同図（ｃ）は図３のＦ−Ｆ矢視に相当する安全カバーの断面図である。
【図９】安全カバーの断面図を示し、同図（ａ）は図３のＧ−Ｇ矢視に相当する安全カバーの断面図であり、同図（ｂ）は図３のＨ−Ｈ矢視に相当する安全カバーの断面図である。
【図１０】図３のＡ矢視に相当する他の実施形態に係わる安全カバーの側面図を示す。
【符号の説明】
【００４８】
１  刈払機
３  操作杆
４ａ  回転軸
７  刈刃
１０  安全カバー
１０ｂ  手前側端部
１１  上面プレート
１１ｃ  仕切プレート
２０  側面プレート
２１  斜面部
２６  草除けガード部
２７  導入口
３０  送出通路
Ｌ  刈刃外周の回転軌道
Ｍ  作業者
【図１】
0004486607.tif 000002
【図２】
0004486607.tif 000003
【図３】
0004486607.tif 000004
【図４】
0004486607.tif 000005
【図５】
0004486607.tif 000006
【図６】
0004486607.tif 000007
【図７】
0004486607.tif 000008
【図８】
0004486607.tif 000009
【図９】
0004486607.tif 000010
【図１０】
0004486607.tif 000011